(57)【要約】【課題】  軸受の角触れ時に駆動ディスクとの接触により密封器匣に発生する内面疵を防止し、ファン・カップリング装置の耐久寿命を向上させる。【解決手段】  駆動側と被駆動側とのなすトルク伝達間隙部での油の有効接触面積を増減させて駆動側から被駆動側への回転トルク伝達を制御せしめるファン・カップリング装置において、前記駆動側をなす回転軸体の先端部に固着される駆動ディスクの内周側を厚肉部、外周側を薄肉部とし、かつ薄肉部全体に外周端面より厚肉部まで延びるスリットを放射状に設けて、当該駆動ディスクに被駆動側をなす密封器匣のケースとの接触により軸方向に変形可能な可撓性を付与する。【選択図】      図１
2005172171.tif 000002
【特許請求の範囲】
【請求項１】
駆動側と被駆動側とのなすトルク伝達間隙部での油の有効接触面積を増減させて駆動側から被駆動側への回転トルク伝達を制御せしめるファン・カップリング装置において、前記駆動側をなす回転軸体の先端部に固着される駆動ディスクの内周側を厚肉部、外周側を薄肉部とし、かつ薄肉部全体に外周端面より厚肉部まで延びるスリットを放射状に設けて、当該駆動ディスクに被駆動側をなす密封器匣のケースとの接触により軸方向に変形可能な可撓性を付与したことを特徴とする流体式ファン・カップリング装置。
【発明の詳細な説明】
【技術分野】
【０００１】
本発明は一般に自動車等における機関冷却用のファン回転を外部周囲の温度変化あるいは回転変化に追従して制御せしめ、絶えず走行状態に応じた冷却風量を自動調整して機関に供給する流体式ファン・カップリング装置に関する。
【背景技術】
【０００２】
従来、この種のファン・カップリング装置として、図６に示す流体式ファン・カップリング装置（サーモモジュレート・タイプ）が知られている。このファン・カップリング装置は、後端部に相手基体への取付フランジ壁１′を有する回転軸体１の先端部に駆動ディスク７が固着されて駆動側となし、回転軸体１上に軸受（ボールベアリング）１５を介してカップリング装置のなすケース２とケース３とからなる被駆動側としての密封器匣を支承している。この密封器匣の内部は仕切板５により油溜り室６と前記駆動ディスク７を内装するトルク伝達室４とに区画されており、かつ仕切板５には油溜り室６よりトルク伝達室４への油の供給調整孔５′が設けてある。そして前記駆動ディスク７はトルク伝達室４内にあって密封器匣のなす対向壁面とにトルク伝達のための微小間隙を保持してある。
【０００３】
８は供給調整孔５′を開閉する弁部材であって、仕切板５の一端に鋲着し、他端を当該仕切板の供給調整孔部に位置して設けてあり、前記ケース３の前面の支持金具１１にその両端部を係支した板状バイメタルからなる感温体１０による外部周囲の温度変化に感応して、該温度が設定値を超えると前記調整孔５′を解放し、設定値以下では閉鎖連動するように連桿９を介して内部に備えてある。そしてトルク伝達室４部での油の有効接触面積を増減せしめて駆動側の回転軸体１から被駆動側の密封器匣への回転トルク伝達を制御する仕組みとなっている。
【０００４】
１２はダムであり、回転作動時の遠心力による油の集溜する駆動ディスク７の外周面側と対向する密封器匣の内周側壁部の一部に設け、かつ回転方向の当該タムの手前に近傍して形成した排出口に連なるトルク伝達室４側より油溜り室６側への排出循環路１３によってポンピング機能をなすものである。
【０００５】
Ｆは金属製もしくは樹脂製のファン部材であって、被駆動側の密封器匣をなす前記ケース２の外周部から外方へ一体に延長した延長部２′に取着されている。１４は冷却ファンである。
【発明の開示】
【発明が解決しようとする課題】
【０００６】
しかるに、上記のような構造の従来の流体式ファン・カップリング装置において、当該装置の運転中、特に高速・高負荷時にケース２とケース３とからなる被駆動側としての密封器匣を支承している軸受（ボールベアリング）１５の偏摩耗による角振れが増大した場合には、図９に示すように回転軸体１の先端部に固着されている駆動ディスク７の端面が密封器匣を構成するケース２とケース３の内面に接触し、この接触面圧に起因してケース２とケース３の内面に摩耗による“かじり”と称する疵が発生する。このような現象が発生すると、接触による異常発熱や摩耗粉が内部封入シリコン・オイルの耐久寿命を低下させ、それが著しい場合には車両のオーバーヒート等を惹起するおそれがあった。
【０００７】
この発明は、上記した従来の問題を解決するためになされたもので、駆動ディスクの肉厚、断面形状を変えることによって、軸受の角振れ時における当該ディスクトとケースとの接触面圧を低下させ得る流体式ファン・カップリング装置を提供しようとするものである。
【課題を解決するための手段】
【０００８】
本発明に係る流体式ファン・カップリング装置は、駆動側と被駆動側とのなすトルク伝達間隙部での油の有効接触面積を増減させて駆動側から被駆動側への回転トルク伝達を制御せしめるファン・カップリング装置において、前記駆動側をなす回転軸体の先端部に固着される駆動ディスクの内周側を厚肉部、外周側を薄肉部とし、かつ薄肉部全体に外周端面より厚肉部まで延びるスリットを放射状に設けることにより、当該駆動ディスクに被駆動側をなす密封器匣のケースとの接触により軸方向に変形可能な可撓性を付与したことを特徴とするものである。
【発明の効果】
【０００９】
本発明は、駆動側をなす回転軸体の先端部に固着される駆動ディスクに可撓性を付与したことにより、高速・高負荷時に密封器匣を支承している軸受（ボールベアリング）の偏摩耗による角振れが増大した場合に該駆動ディスクの端面が密封器匣を構成するケースの内面に接触するも、当該ディスクが軸方向に変形することによりその時の接触面圧が低下し、“かじり”と称する疵を防止できる。したがって、この発明装置によれば、駆動ディスクと密封器匣の接触による異常発熱や摩耗粉が内部封入シリコン・オイルの耐久寿命を低下させことがなくなり、ファン・カップリング装置の耐久寿命を著しく向上させることができるとともに、駆動ディスクと密封器匣の接触音の軽減、装置の軽量化などもはかられるという優れた効果を奏する。
【発明を実施するための最良の形態】
【００１０】
図１は本発明に係る流体式ファン・カップリング装置における駆動ディスクの一例を示す縦断側面図、図２は同上駆動ディスクの正面図、図３は図２のＡーＡ線上の縦断側面図、図４は同上駆動ディスクの他の実施例を示す正面図、図５は被駆動側としての密封器匣を支承している軸受（ボールベアリング）の偏摩耗による角振れが増大した場合の駆動ディスクの変形例を示す縦断側面図であり、７ａ、７ｂは駆動ディスクである。
【００１１】
すなわち、図１〜図３に示す駆動ディスク７ａは当該ディスクの内周側を円形の厚肉部７ａ−１とし、外周側を薄肉部７ａ−２とするとともに該薄肉部全体に外周端面より厚肉部７ａ−１まで延びるスリット７ａ−３を放射状に設けることによって当該ディスクに可撓性を付与する方式を示したもので、薄肉部７ａ−２およびスリット７ａ−３を設けることによってディスク自体の剛性を低下させて軸方向に変形可能な可撓性を付与したものである。
【００１２】
また図４に示す駆動ディスク７ｂは当該ディスクの内周側を八角形の厚肉部７ｂ−１とし、外周側を薄肉部７ｂ−２とするとともに該薄肉部全体に外周端面より八角形の厚肉部７ｂ−１まで延びるスリット７ｂ−３を放射状に設けることによって当該ディスクに可撓性を付与する方式を示したもので、この場合も図１〜図３に示す駆動ディスク７ａと同様、薄肉部７ｂ−２およびスリット７ｂ−３を設けることによってディスク自体の剛性を低下させて軸方向に変形可能な可撓性を付与したものである。
【００１３】
上記駆動ディスク７ａ、７ｂは主に金属製（鉄またはアルミ等の溶製材）であるが、可撓性を有する合成樹脂製としてもよい。合成樹脂の場合は金属と比べ変形が大きいので有利である。なお、合成樹脂の種類としては、ＰＡ、ＰＰＳ、ＰＦ等が挙げられる。
【００１４】
上記構造の駆動ディスク７ａまたは７ｂを有する流体式ファン・カップリング装置において、当該ファン・カップリング装置の運転中、特に高速・高負荷時にケース２とケース３とからなる被駆動側としての密封器匣を支承している軸受（ボールベアリング）１５の偏摩耗による角振れが増大した場合、駆動ディスク７ａまたは７ｂは薄肉部７ａ−２または７ｂ−２を設けたことによってディスク自体の剛性が低く、軸方向に変形可能な可撓性を有しているので、図５に示すように回転軸体１の先端部に固着されている駆動ディスク７ａまたは７ｂの端面が密封器匣を構成するケース２とケース３の内面に接触するも容易に変形することによって接触面積が広くなり接触面圧が低下するので、ケース２とケース３の内面に摩耗による“かじり”と称する疵が発生することはない。したがって、駆動ディスク７ａまたは７ｂとケース２、ケース３との接触による異常発熱や摩耗粉の発生はほとんどなくなる。
【産業上の利用可能性】
【００１５】
この発明の流体式ファン・カップリング装置は、駆動ディスクと密封器匣の接触による異常発熱や摩耗粉が内部封入シリコン・オイルの耐久寿命を低下させことがなくなり、ファン・カップリング装置の耐久寿命を著しく向上させることができるとともに、駆動ディスクと密封器匣の接触音の軽減、装置の軽量化などもはかられる。
【図面の簡単な説明】
【００１６】
【図１】本発明に係る流体式ファン・カップリング装置における駆動ディスクの一例を示す縦断側面図である。
【図２】図１に示す駆動ディスクの正面図である。
【図３】図２のＡーＡ線上の縦断側面図である。
【図４】同上駆動ディスクの他の実施例を示す正面図である。
【図５】被駆動側としての密封器匣を支承している軸受（ボールベアリング）の偏摩耗による角振れが増大した場合の駆動ディスクの変形例を示す縦断側面図である。
【図６】本発明の対象とする従来の流体式ファン・カップリング装置の一例を示す縦断側面図である。
【符号の説明】
【００１７】
１  回転軸体
２、３  ケース
４  トルク伝達室
５  仕切板
６  油溜り室
７ａ、７ｂ  駆動ディスク
８  弁部材
９  連桿
１０  感温体
１１  支持金具
１２  ダム
１３  排出循環路
１４  冷却ファン
１５  軸受
【図１】
2005172171.tif 000003
【図２】
2005172171.tif 000004
【図３】
2005172171.tif 000005
【図４】
2005172171.tif 000006
【図５】
2005172171.tif 000007
【図６】
2005172171.tif 000008